(57)【要約】【課題】ミストサウナの使用時に、浴室空調装置による送風方向を好ましいものへ切り換えることを可能にする湯水噴出空調システムを提供する。【解決手段】浴室空調システム１は、浴室１０１内にミストを噴出するミスト発生装置２と、浴室１０１内に温風を送風する浴室空調装置３と、浴室１０１内に設置され、ミスト発生装置２及び浴室空調装置３を操作するミストリモコン７を備えて構成される。使用者がミストリモコン７を操作することにより、ミスト発生装置２による浴室１０１内へのミストの噴出、及び浴室空調装置３による浴室１０１内への温風の送風を行い、浴室１０１内にミストサウナ環境をつくるミスト運転モードを、浴室空調装置１は実行する。ミスト運転モードの実行時には、浴室空調装置３による温風の送風方向は、所定の方向に切り換えられる。【選択図】    図１
2011087944.tif 000002
【特許請求の範囲】
【請求項１】
室内にミストを噴出するミスト噴出手段、及び前記ミスト噴出手段を制御するミスト噴出制御手段を有する湯水噴出装置と、
前記室内に空気を送風する送風手段、前記送風手段による空気の送風方向を切り換える送風方向切換手段、及び前記送風手段及び前記送風方向切換手段を制御する送風制御手段を有する空調装置と、
前記湯水噴出装置がミストを噴出する前記室内に設置され、前記湯水噴出装置を操作する第１操作部と、
前記室外に設置され、前記空調装置を操作する第２操作部とを備え、
前記ミスト噴出制御手段及び前記送風制御手段は、前記第１操作部の操作に基づき、前記ミスト噴出手段によるミストの噴出と、前記送風手段による空気の送風と、前記送風方向切換手段による、空気の送風方向の所定方向への切換とを連動して行うミストモードを実行する
ことを特徴とする湯水噴出空調システム。
【請求項２】
前記ミスト噴出制御手段及び前記送風制御手段は、前記第２操作部の操作に基づき、前記ミストモードを実行する
ことを特徴とする請求項１記載の湯水噴出空調システム。
【請求項３】
前記第１操作部及び前記第２操作部は、前記ミストモードの実行を指示するミストモード選択ボタンを備え、
前記ミストモード選択ボタンの操作に基づき、前記送風制御手段は、空気の送風方向を、所定の一方向に固定する、若しくは所定の範囲で連続的又は断続的に変化される第１方向とする
ことを特徴とする請求項１又は２記載の湯水噴出空調システム。
【請求項４】
前記空調装置は、所定の空調モードを複数実行し、
前記第２操作部は、前記空調装置による前記各空調モードの実行をそれぞれ指示する空調モード選択ボタンを備え、
前記空調モードの選択ボタンの操作に基づき、前記送風制御手段は、空気の送風方向を、所定の一方向に固定される、若しくは所定の範囲で連続的又は断続的に変化される第２方向とする
ことを特徴とする請求項３記載の湯水噴出空調システム。
【請求項５】
前記第１操作部、前記第２操作部の少なくとも一方により、前記第１方向及び前記第２方向を設定可能とした
ことを特徴とする請求項４記載の湯水噴出空調システム。
【請求項６】
前記第２操作部により、前記各空調モードに対して前記第２方向をそれぞれ設定可能とした
ことを特徴とする請求項４記載の湯水噴出空調システム。
【発明の詳細な説明】
【技術分野】
【０００１】
本発明は、ミストの噴出及び空気の送風を行うことにより、浴室内にミストサウナ環境をつくる湯水噴出空調システムに関する。
【背景技術】
【０００２】
従来より、浴室内へ空気を送風する浴室空調装置と、浴室内へミストを噴出する湯水噴出装置とを備え、浴室内にミストサウナ環境をつくる湯水噴出空調システムが提案されている。このような湯水噴出空調システムとして、浴室空調装置と湯水噴出装置が、それぞれ独立した制御部を備えて別体に構成されるものがある（例えば、特許文献１参照）。
【０００３】
特許文献１に開示される湯水噴出空調システムとしての低温ミストサウナ装置は、浴室空調装置と湯水噴出装置のそれぞれの制御部に接続された操作パネルを備える。この操作パネルは浴室内に設置されており、この操作パネルを操作することにより、浴室空調装置及び湯水噴出装置を連動させて動作させることが可能となる。
【先行技術文献】
【特許文献】
【０００４】
【特許文献１】実用新案第２５８９１２８号公報
【発明の概要】
【発明が解決しようとする課題】
【０００５】
しかし、上述した、別体に構成された浴室空調装置及び湯水噴出装置を備える従来の湯水噴出空調システムにおいては、次のような問題がある。
【０００６】
別体に構成された浴室空調装置及び湯水噴出装置を備える従来の湯水噴出空調システムは、ミストサウナ環境をつくるミストサウナモードの実行に応じて、浴室空調装置から浴室内へ送風する空気の送風方向の切り換えが行われない構成である。このため、ミストサウナの使用時に、浴室空調装置からの送風方向が、使用者にとって好ましいものとならない問題があった。
【０００７】
本発明は、このような問題を解決するためになされたもので、ミストサウナの使用時に、浴室空調装置による送風方向を好ましいものへ切り換えることを可能にする湯水噴出空調システムを提供することを目的とする。
【課題を解決するための手段】
【０００８】
上述した課題を解決するため、本発明に係る湯水噴出空調システムは、室内にミストを噴出するミスト噴出手段、及びミスト噴出手段を制御するミスト噴出制御手段を有する湯水噴出装置と、室内に空気を送風する送風手段、送風手段による空気の送風方向を切り換える送風方向切換手段、及び送風手段及び送風方向切換手段を制御する送風制御手段を有する空調装置と、湯水噴出装置がミストを噴出する室内に設置され、湯水噴出装置を操作する第１操作部と、室外に設置され、空調装置を操作する第２操作部とを備え、ミスト噴出制御手段及び送風制御手段は、第１操作部の操作に基づき、ミスト噴出手段によるミストの噴出と、送風手段による空気の送風と、送風方向切換手段による、空気の送風方向の所定方向への切換とを連動して行うミストモードを実行することを特徴とするものである。
【０００９】
本発明に係る湯水噴出空調システムでは、湯水噴出装置のミスト噴出手段により室内へミストが噴出される。ミスト噴出手段はミスト噴出制御手段により制御される。また、本発明に係る湯水噴出空調システムでは、空調装置の送風手段により室内へ空気が送風される。室内へ送風される空気の送風方向は送風方向切換手段により切り換えられる。送風手段及び送風方向切換手段は、送風制御手段により制御される。
【００１０】
更に、本発明に係る湯水噴出空調システムでは、湯水噴出装置によりミストが噴出される室内にいる使用者が第１操作部を操作することにより、ミスト噴出手段によるミストの噴出と、送風手段による空気の送風が連動して行われるミストモードが実行される。またミストモードの実行時には、空調装置による空気の送風方向は、送風方向切換手段により所定の方向へ切り換えられる。
【発明の効果】
【００１１】
本発明の湯水噴出空調システムによれば、使用者が室内の第１操作部を操作することにより、湯水噴出装置によるミストの噴出と、空調装置による空気の送風が連動して行われるミストモードが実行される。またこの時、空調装置による空気の送風方向は、送風方向切換手段により所定の方向へ切り換えられる。
【００１２】
これにより、ミストモードを実行してミストサウナを使用する際に、空調装置による送風方向を、使用者にとって好ましい方向へ切り換えることが可能になる。
【図面の簡単な説明】
【００１３】
【図１】本実施の形態の浴室空調システムの構成例を示す説明図である。
【図２】ノズルユニットの構成例を示す説明図である。
【図３】電磁弁ユニットの構成例を示す説明図である。
【図４】電磁部ユニットの動作例を示す説明図である。
【図５】電磁部ユニットの動作例を示す説明図である。
【図６】浴室空調装置の構成例を示す説明図である。
【図７】浴室空調装置の構成例を示す説明図である。
【図８】浴室空調装置の動作例を示す説明図である。
【図９】ヒートポンプ式の給湯装置の構成例を示す説明図である。
【図１０】ミストリモコンの構成例を示す説明図である。
【図１１】空調リモコンの構成例を示す説明図である。
【図１２】浴室空調装置及びミスト発生装置の制御系を示す説明図である。
【図１３】ミスト運転開始時の動作例を示すフローチャートである。
【図１４】ミスト運転開始時の動作例を示すフローチャートである。
【図１５】ミスト運転開始時の動作例を示すフローチャートである。
【図１６】停止時のルーバ位置を示す説明図である。
【図１７】ミスト運転開始時のルーバ位置を示す説明図である。
【図１８】ミスト運転時のルーバ位置を示す説明図である。
【図１９】ミスト運転停止時の動作例を示すフローチャートである。
【図２０】全停止時の動作例を示すフローチャートである。
【発明を実施するための形態】
【００１４】
以下、図面を参照しながら、本発明の湯水噴出空調システムの実施の形態としての浴室空調システムについて説明する。
【００１５】
＜浴室空調システムの全体＞
図１は本実施の形態の浴室空調システム１の一例を示す構成図であり、図１では、本発明の実施の形態としての浴室空調システム１の構成例を断面の概念図で示す。本実施の形態の浴室空調システム１は、温水を霧状のミストにして浴室１０１内に噴出するミスト発生装置２と、浴室１０１の暖房や換気等を行う浴室空調装置３を備える。
【００１６】
浴室空調システム１は、ミスト発生装置２に対する温水ＨＷの供給元として、例えば自然冷媒（ＣＯ2）を利用したヒートポンプ方式の給湯装置４と組み合わせて使用される。
【００１７】
ミスト発生装置２は、ミスト生成する電磁弁ユニット２Ａと、給湯装置４から供給される温水（水）を、電磁弁ユニット２Ａに供給するか排水するかを切り替える電源部ユニット２Ｂを備える。ここで、ミストとは、霧や靄、さらにはシャワー等の状態を含むものである。
【００１８】
浴室空調システム１は、浴室１０１に設置されたミスト操作部（ミストリモコン）７と、浴室１０１に隣接した洗面脱衣所１０２に設置された主操作部（空調リモコン）６が操作されることで、ミスト発生装置２と浴室空調装置３で実行される運転モードが選択される。
【００１９】
ミスト操作部５では、主に暖房に関する運転モードについての操作が行われ、入浴中等に暖房に関する操作が可能である。また、主操作部６では、暖房を含めた全般の運転モードについての操作が行われ、浴室１０１に入室することなく、暖房、換気や乾燥等に関する操作が可能である。
【００２０】
浴室空調システム１は、ミスト発生装置２に備えたミスト制御部２Ｂｃと、浴室空調装置３に備えた主制御部５Ａに制御される。ミスト制御部２Ｂｃは、ミスト発生装置２の電源部ユニット２Ｂに備えられ、ミストＭの噴出の有無を切り替える制御等を行う。また、主制御部５Ａは、浴室空調装置３を駆動して、浴室１０１から空気Ａを吸い込み、温風ＨＡあるいは送風として吹き出す制御、及び浴室１０１から吸い込んだ空気Ａを屋外へ排気する制御等を行う。
【００２１】
そして、浴室空調システム１は、ミスト操作部５あるいは主操作部６が操作されることで選択された運転モードに応じて、ミスト制御部２Ｂｃと主制御部５Ａとの間で通信が行われ、浴室空調装置３単独あるいはミスト発生装置２と浴室空調装置３を連動させた制御が実行される。
【００２２】
ミスト操作部５あるいは主操作部６が操作されることで選択され、浴室空調システム１で実行される運転モードとして、例えば、ミスト発生装置２によるミストＭの噴出と、浴室空調装置３による温風ＨＡの吹き出しを連動させて、浴室１０１内を中温高湿のミストサウナ状態とするミストモードを備える。
【００２３】
ミストモードでは、浴室空調装置３により温風ＨＡを吹き出して浴室１０１内の温度を上昇させてから、ミスト発生装置２で所定の温度に達したミストＭの噴出を行うことで、入浴者（利用者）に冷感を与えないようにする。
【００２４】
そして、ミストモードでは、浴室１０１内の温度及びミストＭとして噴出させる温水ＨＷの温度を検出し、浴室１０１内の状態が入浴に適した状態となったか否かを判断して、ミスト操作部５及び主操作部６より入浴者等に報知する。
【００２５】
＜ミスト発生装置の構成例及び動作例＞
図２はミスト発生装置２を構成するノズルユニット２Ｃの一例を示す構成図で、図２（ａ）はノズルユニット２Ｃを下側から見た平面図、図２（ｂ）は図２（ａ）に示すノズルユニット２ＣのＡ−Ａ断面図、図２（ｃ）は図２（ａ）に示すノズルユニット２ＣのＢ−Ｂ断面図である。
【００２６】
ノズルユニット２Ｃは湯水噴出装置の一例で、ミストを生成する複数のミストノズル１１が、各ミストノズル１１に温水（水）を供給する供給配管１２を介して本体部１３の内部に取り付けられる。
【００２７】
各ミストノズル１１は、１本の供給配管１２に接続されて、一列に並べて配置される。本例では、３個のミストノズル１１を所定の間隔を開けて配置して、各ミストノズル１１が供給配管１２と接続され、供給配管１２に温水が供給されると、各ミストノズル１１に温水が分配されて、各ミストノズル１１からミストが噴出する。
【００２８】
ノズルユニット２Ｃは、図１に示す浴室１０１の天井パネルに形成された開口に本体部１３が挿入され、本体部１３の下部開口を覆うフロントパネル１４が取り付けられて、浴室１０１の天井パネルに設置される。
【００２９】
フロントパネル１４は、ミストノズル１１の配置に合わせて穴部１４ａが形成され、穴部１４ａからミストノズル１１が露出している。
【００３０】
ここで、フロントパネル１４を固定する図示しないネジが挿入される長穴１４ｂを備えて、フロントパネル１４の取り付け位置を、ミストノズル１１の並ぶ方向に対して直交する方向に移動できる構成とすることで、フロントパネル１４の穴部１４ａの位置に応じて各ミストノズル１１が供給配管１２を軸に回転するようにして、ノズルユニット２Ｃの設置時に、ミストの噴出方向を選択できるようにしても良い。
【００３１】
例えば、ノズルユニット２Ｃは、ミストノズル１１の並ぶ方向を、図１に示す浴室１０１において浴槽１０１ｂと洗い場１０１ｅの並ぶ方向に対して直交する向きとして設置されるので、ミストＭの噴出方向を浴槽１０１ｂ側と洗い場１０１ｅ側との間で選択可能となっている。
【００３２】
図３はミスト発生装置２を構成する電磁弁ユニット２Ａの一例を示す構成図である。電磁弁ユニット２Ａは、図１に示す給湯装置４からの給水配管２ａが接続される給湯配管接続部２ａ’と、電磁弁ユニット２Ａへの配管２ｂが接続される供給配管接続部２ｂ’と、ドレン配管２ｃが接続されるドレン配管接続部２ｃ’を備える。
【００３３】
電磁弁ユニット２Ａは、給湯配管接続部１６ａと供給配管接続部１６ｂとの間が供給配管２ｊで接続され、給湯装置４とノズルユニット２Ｃとの間を接続している。また、電磁弁ユニット２Ａは、供給配管２ｊから分岐した排水配管２ｋがドレン配管接続部２ｃ’と接続され、給湯装置４とドレン配管２ｃとの間を接続している。
【００３４】
電磁弁ユニット２Ａは、排水配管２ｋとの分岐部より上流側の供給配管２ｊに、給湯の有無を切り替える給湯用電磁弁２ｄを備えると共に、分岐部より下流側の供給配管２ｊに、温水または水の供給先を電磁弁ユニット２Ａに切り替えるミスト用電磁弁２ｅを備える。
【００３５】
更に、電磁弁ユニット２Ａは、温水または水の供給先をドレン配管２ｃに切り替える排水用電磁弁２ｆを、排水配管２ｋに備える。
【００３６】
また、電磁弁ユニット２Ａは、給湯用電磁弁２ｄと分岐部との間の供給配管２ｊに、供給配管２ｊを流れる温水または水の温度を検出する水温検出センサ２ｈを備える。
【００３７】
ここで、供給配管２ｊに設ける給湯用電磁弁２ｄ及びミスト用電磁弁２ｅの設置高さより、排水配管２ｋに設ける排水用電磁弁２ｆの設置高さが低くなるように、供給配管２ｊと排水配管２ｋの流路を構成することで、流路中に残水が滞留しないようにしている。
【００３８】
図４及び図５は電磁弁ユニット２Ａの動作説明図である。ミスト噴出時は、図４（ａ）に示すように、給湯用電磁弁２ｄとミスト用電磁弁２ｅは開き、排水用電磁弁２ｆは閉じる。これにより、図１に示す給湯装置４から供給された温水ＨＷが、供給配管２ｊを流れて電磁弁ユニット２Ａに供給され、電磁弁ユニット２ＡでミストＭが噴出される。
【００３９】
排水時は、図４（ｂ）に示すように、給湯用電磁弁２ｄと排水用電磁弁２ｆは開き、ミスト用電磁弁２ｅは閉じる。これにより、給湯装置４から供給された温水ＨＷが、供給配管２ｊ及び排水配管２ｋを流れてドレン配管２ｃから排水（ＥＷ）される。
【００４０】
排水の停止時は、まず、図５（ａ）に示すように、排水用電磁弁２ｆは開けた状態で、給湯用電磁弁２ｄを閉じた後、ミスト用電磁弁２ｅを開ける。これにより、供給配管２ｊの電磁弁ユニット２Ａと接続された側が大気に開放された状態となるので、供給配管２ｊ内の残水ＲＷが排水配管２ｋへと流れてドレン配管２ｃから排水される。
【００４１】
そして、残水ＲＷの排水に要する時間に応じて設定された所定時間経過後、図５（ｂ）に示すように、給湯用電磁弁２ｄ、ミスト用電磁弁２ｅ及び排水用電磁弁２ｆの全てを閉じることで、給湯用電磁弁２ｄより下流側の流路に残水を滞留させない状態とすることができる。
【００４２】
＜浴室空調装置＞
図６及び図７は、浴室空調装置３の構成例を示す図である。図６（Ａ）は浴室空調装置３の構成を示す断面図であり、図６（Ｂ）は図６（Ａ）のａ−ａ断面図である。
【００４３】
図６（Ａ）に示す浴室空調装置３は、送風手段の一例であるファン部３２と、加熱手段一例である熱源としてのヒータ部３３とを備えている。ファン部３２は、本体ケース３４に取り付けられている。ファン部３２は、回転駆動される多翼のファン３５と、このファン３５を回転駆動するファンモータ３６と、このファンモータ３６が取り付けられると共に、風路を形成するファンケース３７とを備えている。
【００４４】
ファン３５は縦向きに配置されている。ファンケース３７のファン３５の軸方向に沿った下面が開口し、吸込口３８とされている。吸込口３８には、浴室１０１の温度を検出する温度検出センサ６９が取り付けられる。温度検出センサ６９にはサーミスタが使用される。また、ファンケース３７のファン３５の軸方向とは直交する方向に沿った一の側面が開口し、この開口部に風路切換部３９が備えられている。
【００４５】
風路切換部３９は風路を切換えるダンパ４０を備える。ダンパ４０は後述するダンパモータ４０ｃの駆動力がカム４０ａを介して伝達され、軸４０ｂを支点に回転して開閉動作を行う。ファンケース３７は、風路切換部３９と連通して下面に吹出口４１を備えると共に、風路切換部３９と連通して一の側面に排気口４２を備えている。この場合、ダンパ４０の位置によって、吸込口３８から吹出口４１へ連通した風路、あるいは吸込口３８から排気口４２へ連通した風路が形成される。
【００４６】
上述の吹出口４１の所定の位置には、排出する空気を加熱するヒータ部３３が取り付けられる。ヒータ部３３には、電気ヒータが使用される。吹出口４１から浴室内へ温風を送風することで、ミストの温度低下を防止して、浴室内を暖房する。
【００４７】
また図６（Ａ）に示すように、送風方向切換手段の一例であるルーバ４４が、吹出口４１にて、上述したヒータ部３３の下部に備えられる。ルーバ４４は、例えば次に示すような構成となる。図６（Ｂ）に示すように、ルーバモータ４４ａ（４４ｂ）、アームＡ４４ｃ、アームＢ４４ｄ、複数の羽根４４ｅ及び羽根軸４４ｆを備えた組を、二組備えてルーバ４４は構成される。
【００４８】
それぞれのルーバモータ４４ａ（４４ｂ）は、吹出口４１の縁部近傍にて本体ケース３４に固定されている。また各羽根軸４４ｆは、吹出口４１の各ルーバモータ４４ａ（４４ｂ）の内側に位置するように、本体ケース３４に所定の間隔で固定されている。
【００４９】
各羽根４４ｅは各羽根軸４４ｆに回転自在に取り付けられている。また各羽根４４ｅは上端部にて、アームＡ４４ｃに所定の間隔で回転自在に取り付けられている。アームＡ４４ｃは、吹出口４１の縁部側に位置する端部にてアームＢ４４ｄに回転自在に取り付けられている。アームＢ４４ｄは、本体ケース３４に固定されたルーバモータ４４ａ（４４ｂ）に取り付けられている。
【００５０】
このような構成により、ルーバモータ４４ａ（４４ｂ）の駆動により、アームＢ４４ｄ及びアームＡ４４ｃが回転し、アームＡ４４ｃに取り付けられた各羽根４４ｅが回転する。またアームＡ４４ｃに取り付けられた各羽根４４ｅは、全て同じ角度に回転し、この回転角度はルーバモータ４４ａ（４４ｂ）の駆動により制御が可能となる。このようにルーバ４４の各羽根４４ｅの回転角度を制御することにより、吹出口４１から吹出される吹出風４７の送風方向を制御することが可能となる。
【００５１】
図７は浴室空調装置３の分解例を示す斜視図である。図７に示す浴室空調装置３は、本体ケース３４からフロントパネル２６が取外し（分解）可能な構造となされている。
【００５２】
この例で、温度検出センサ６９は、本体ケース３４の吸込口３８に対応した部分に取り付けられ、浴室１０１の温度を検出する。図７において、本体ケース３４は、下面が開口し、吸込口３８と吹出口４１が露出した状態となる。この本体ケース３４の下面開口部に、フロントパネル２６が取り付けられる。フロントパネル２６は、本体ケース３４に着脱可能なように構成されている。
【００５３】
このフロントパネル２６は、ファン部３２の吸込口３８と対向して吸込グリル４５を備えると共に、ファン部３２の吹出口４１と対向して吹出グリル４６を備える。また、フロントパネル２６の吸込グリル４５の裏側に、図７に示したフィルタ２９が交換可能に取り付けられる。例えば、フロントパネル２６の側面には、フィルタ着脱用の挿入口２８が開口され、この挿入口２８に二点鎖線に示すフィルタ２９が取り付けられる。本体ケース３４は、ファン部３２の排気口４２と連通する排気ダクト接続部４８を一の側面に備える。この排気ダクト接続部４８に、図１に示したような排気ダクト８が接続される。
【００５４】
図８（Ａ）〜（Ｃ）は、浴室空調装置３の動作例を示す図である。図８（Ａ）は、ダンパ４０を全閉にした状態例を示す断面図である。この例では、浴室空調装置３のダンパ４０を全閉にすると、排気口４２への風路が遮断され、吸込口３８から吹出口４１へ連通した循環風路４３ａが形成される。このため、ダンパ４０が全閉となる位置をダンパ４０の循環位置と称する。
【００５５】
また、図８（Ａ）に示すように、ダンパ４０の位置を循環位置にし、ファンモータ３６によりファン３５を回転駆動すると、空気が吸込口３８から吸い込まれ、循環風路４３ａを通り吹出口４１から吹き出す。ファンモータ３６は、主制御部５Ａから供給される駆動電圧Ｖ３６により駆動される。このとき、ヒータ部３３に通電すると、ヒータ部３３が加熱することで吹出口４１を通る空気が温められ、温風が吹出口４１から吹き出す。ここで、ヒータ部３３としては例えばＰＴＣヒータを使用できる。
【００５６】
図８（Ｂ）は、ダンパ４０を全開にした状態例を示す断面図である。図８（Ｂ）に示す浴室空調装置３によれば、そのダンパ４０を全開にすると、吹出口４１への風路が遮断され、吸込口３８から排気口４２へ連通した換気風路４３ｂが形成される。このため、ダンパ４０が全開となる位置をダンパ４０の換気位置と称する。
【００５７】
図８（Ｃ）は、ダンパ４０を循環位置と換気位置の中間位置にした状態例を示す断面図である。図８（Ｃ）に示す浴室空調装置３によれば、そのダンパ４０を循環位置と換気位置の中間位置にすると、吸気口３８から吹出口４１へ連通した循環風路４３ａと、吸気口３８から排気口４２へ連通した換気風路４３ｂの双方が形成される。この中間位置を循環換気位置と称する。
【００５８】
続いて、浴室空調装置３の動作例について説明をする。この浴室空調装置３では、例えば、ファンモータ３６が回転駆動されると、ファン部３２のファン３５が回転する。ファン３５が回転すると、フロントパネル２６の吸込グリル４５を介して、ファン部３２の吸込口３８から浴室１０１の空気が吸い込まれる。
【００５９】
ダンパ４０の位置が図８（Ａ）に示す循環位置にあると、ファン部３２において吸込口３８から吹出口４１への循環風路４３ａが形成されるので、吸込口３８から吸い込まれた空気は、循環風路４３ａを通り吹出口４１からフロントパネル２６の吹出グリル４６を介して浴室１０１内に吹き出される。
【００６０】
ヒータ部３３は循環風路４３ａの吹出口４１に配置されるので、ヒータ部３３が駆動されることで、循環風路４３ａを通る空気は、このヒータ部３３で温められて吹出グリル４６から吹き出す。これにより、ダンパ４０を循環位置として、ファンモータ３６が回転駆動されると、ヒータ部３３を駆動した場合は、浴室１０１内の空気を循環させながら、浴室１０１内に温風を吹き出させることができる。
【００６１】
ダンパ４０の位置が図８（Ｂ）に示す換気位置にあると、ファン部３２において吸込口３８から排気口４２への換気風路４３ｂが形成されるので、吸込口３８から吸い込まれた空気は、換気風路４３ｂ及び排気口４２を通り、さらに、図１に示した排気ダクト８を通って排気グリル８ａから屋外へ排気される。これにより、ダンパ４０を換気位置として、ファンモータ３６が回転駆動されると、浴室１０１内の湯気や湿気が排気される。
【００６２】
ダンパ４０の位置が図８（Ｃ）に示す循環換気位置にあると、ファン部３２において吸込口３８から吹出口４１への循環風路４３ａ及び吸込口３８から排気口４２への換気風路４３ｂの双方が形成されるので、吸込口３８から吸い込まれた空気は、一部は循環風路４３ａを通り吹出口４１からフロントパネル２６の吹出グリル４６を介して浴室１０１内に吹き出され、その他は換気風路４３ｂ及び排気口４２を通り、さらに、図１に示した排気ダクト８を通って排気グリル８ａから屋外へ排気される。
【００６３】
これにより、ダンパ４０を循環換気位置として、ファンモータ３６が回転駆動されると、ヒータ部３３が非駆動の場合は、浴室１０１内の空気を循環させながら、浴室１０１内の湯気や湿気が排気される。また、ヒータ部３３を駆動した場合は、浴室１０１内の空気を循環させてこの浴室１０１内に温風を吹き出しながら、浴室１０１内の湯気や湿気が排気される。浴室空調装置３は電気式のみでなく、温水式であってもよい。
【００６４】
＜ヒートポンプ式の給湯装置＞
図９は、ヒートポンプ式の給湯装置４の構成例を示すブロック図である。図９に示す給湯装置４は、図１に示したミスト発生装置２、浴室１０１、洗面脱衣所１０２、台所１０３等に温水Ｉを供給するものである。
【００６５】
給湯装置４は、ヒートポンプユニット５３及び貯湯タンクユニット５４を有して構成される。ヒートポンプユニット５３は、大気と冷媒ガスとの間の熱交換及び冷媒ガスと水との間の熱交換で温水Ｉを生成する。貯湯タンクユニット５４は、ヒートポンプユニット５３で生成された温水Ｉを貯水する。例えば、貯湯タンクユニット５４は、３００乃至５００リットルの蓄湯容量を有している。
【００６６】
ヒートポンプユニット５３は、空気熱交換器５５及び水熱交換器５６を有して構成される。空気熱交換器５５は、大気と冷媒ガスとの間で熱交換を行って、冷媒ガスの温度を上昇させるものである。水熱交換器５６は、冷媒ガスと水との間で熱交換を行って、水の温度を上昇させるものである。
【００６７】
ヒートポンプユニット５３には、ファン５５ａ及び冷媒配管５７が設けられる。ファン５５ａは、空気熱交換器５５に大気を供給するように使用される。冷媒配管５７は、空気熱交換器５５と水熱交換器５６との間に接続され、空気熱交換器５５と水熱交換器５６との間で冷媒ガスを循環するように使用される。
【００６８】
また、ヒートポンプユニット５３には、ファン５５ａ及び冷媒配管５７の他に圧縮機５８が備えられる。圧縮機５８は、空気熱交換器５５と水熱交換器５６の間であって、空気熱交換器５５の下流側に配置され、空気熱交換器５５で熱交換されて冷媒配管５７を流れる冷媒ガスを圧縮して温度をさらに上昇させるように使用される。
【００６９】
また、ヒートポンプユニット５３には、空気熱交換器５５と水熱交換器５６の間であって、水熱交換器５６の下流側には膨張弁５９が備えられる。膨張弁５９は、水熱交換器５６で熱交換されて冷媒配管５７を流れる冷媒ガスを膨張させて温度を低下させるように使用される。
【００７０】
ヒートポンプユニット５３には貯湯タンクユニット５４が接続され、当該ヒートポンプユニット５３で生成された温水Ｉを貯水するタンク６０を備える。タンク６０は、下部側に水が供給されると共に、上部側に温水Ｉが供給されて、下部側に比べて上部側の温度が高くなる段層化した状態で温水Ｉを貯水する。
【００７１】
ヒートポンプユニット５３と貯湯タンクユニット５４とは、水熱交換器５６とタンク６０の間が温水配管６１ａ及び冷水配管６１ｂで接続されている。例えば、温水配管６１ａは、水熱交換器５６の流出側と、タンク６０の上部側に設けられる流入口６０ａとの間を接続する。また、冷水配管６１ｂは、水熱交換器５６の流入側と、タンク６０の下部側に設けられる流出口６０ｂの間を接続する。
【００７２】
この冷水配管６１ｂにはポンプ６１ｃが取り付けられている。ポンプ６１ｃは、冷水配管６１ｂを介してタンク６０の流出口６０ｂから水を吸い込んで水熱交換器５６に供給し、水熱交換器５６を通過して生成された温水Ｉを、温水配管６１ａを介して流入口６０ａからタンク６０に供給する。
【００７３】
また、タンク６０には取水配管６２と給水配管６３とがそれぞれ接続されている。取水配管６２は、タンク６０に貯水された温水Ｉを取水するために使用される。取水配管６２は、高温部取水配管６２ａと中温部取水配管６２ｂを備えている。高温部取水配管６２ａは、流入口６０ａと独立してタンク６０の上部に設けられる高温部取水口６０ｃと接続される。中温部取水配管６２ｂは、高温部取水口６０ｃより下側に設けられる中温部取水口６０ｄに接続される。
【００７４】
取水配管６２は、高温部取水配管６２ａと中温部取水配管６２ｂの合流箇所に切換弁６２ｃを備え、タンク６０における取水元が、高温部取水口６０ｃか中温部取水口６０ｄに切換えられる。
【００７５】
給水配管６３は、タンク６０に給水を行うために使用される。給水配管６３は、例えば、流出口６０ｂと独立してタンク６０の下部に設けられる給水口６０ｅと接続されると共に、タンク６０の手前で分岐した分岐給水配管６３ａを備える。
【００７６】
さらに、貯湯タンクユニット５４は、取水配管６２から供給される温水Ｉと、分岐給水配管６３ａから供給される水を混合させる給湯混合弁６４を備える。給湯混合弁６４は、取水配管６２と分岐給水配管６３ａの合流箇所に備えられ、取水配管６２から供給される温水Ｉと、分岐給水配管６３ａから供給される水の混合比を切換えて、給湯配管６５から供給される温水Ｉの温度を調整する。常温の水を排出することもできる。
【００７７】
給湯配管６５は、図１に示した浴室１０１のシャワー１０１ａや浴槽１０１ｂ、洗面脱衣所１０２の蛇口１０２ａ及び図示しない台所１０３の蛇口等と接続され、温水Ｉ又は水を供給する。また、浴室１０１に接続される給湯配管６５には、ミスト給湯配管６５ａが接続される。ここに分岐されたミスト給湯配管６５ａには、ミスト発生装置２が接続される。
【００７８】
次に、ヒートポンプ式の給湯装置４の動作例について説明する。給湯装置４では、まず、貯湯タンクユニット５４のタンク６０に、給水配管６３から水が供給される。タンク６０に供給された水は、冷水配管６１ｂによりヒートポンプユニット５３の水熱交換器５６に供給される。
【００７９】
ヒートポンプユニット５３では、ファン５５ａにより空気熱交換器５５に大気が供給され、冷媒配管５７を流れる冷媒ガスとの間で熱交換が行われ、冷媒ガスの温度が上昇する。空気熱交換器５５で熱交換が行われた冷媒ガスは、圧縮機５８で圧縮されることで、温度がさらに上昇する。
【００８０】
そして、圧縮機５８で圧縮されて温度を上昇させた冷媒ガスは、水熱交換器５６に供給される。これにより、水熱交換器５６においては、大気との熱交換及び圧縮により温度が上昇した冷媒ガスと、貯湯タンクユニット５４から供給された水との間で熱交換が行われ、温水Ｉが生成される。この水熱交換器５６で熱交換された冷媒ガスは、膨張弁５９で膨張されて温度が低下し、再度空気熱交換器５５に供給される。
【００８１】
また、水熱交換器５６で熱交換されて生成された温水Ｉは、温水配管６１ａによりタンク６０に戻される。これにより、タンク６０は、上部側の温度が高く、下部側が温度の低い二層化した状態で温水Ｉと水が貯水される。タンク６０に貯水された温水Ｉは、取水配管６２により取水される。ここで、切換弁６２ｃにより、供給水の温度が高い場合は高温部取水配管６２ａから温水Ｉが取られ、供給水の温度が低い場合は中温部取水配管６２ｂから温水Ｉを取られる。
【００８２】
取水配管６２により取水された温水Ｉは、分岐給水配管６３ｂから供給される水と給湯混合弁６４で混合される。給湯混合弁６４で温水Ｉと水の混合比を切換えることで、給湯配管６５から供給される温水Ｉの温度が調整される。もちろん、常温の水を給湯配管６５に送出することもできる。給湯配管６５から供給される温水Ｉ又は水は、浴室１０１、洗面脱衣所１０２及び台所１０３に分配される。これにより、給湯配管６５から分岐されたミスト給湯配管６５ａにより温水Ｉ又は水をミスト発生装置２に供給するようになされる。給湯装置４は自然冷媒を利用したヒートポンプ式でなくても、ヒートポンプ式でない通常の電気温水器であってもよく、ガスを熱源にした給湯装置でも他の熱源のものであってもよい。
【００８３】
＜空調リモコン、ミストリモコン＞
図１０は、第１操作部の一例であるミストリモコン（ミスト操作部）７の操作面の構成例を示す正面図である。ミストリモコン７は、ミスト発生装置２及び浴室空調装置３を操作するための各種操作ボタン等を備える。ミストリモコン７は操作ボタンとして、例えば、ミスト運転を実行するミストボタン７ｂ、ルーバ４４の角度を変更するルーバーボタン７ｃ、暖房運転モードを実行する暖房ボタン７ｄ、ミスト発生装置２及び浴室空調装置３を全停止させる停止ボタン７ｅを備える。また、ミストリモコン７はミスト発生装置２等の状態を表示するＬＥＤとして、例えば、ミストＬＥＤ７ｆ、暖房ＬＥＤ７ｇ及びエラーＬＥＤ７ｈを備える。ミスト運転実行時の各操作ボタン及びＬＥＤの動作の詳細については後述する。
【００８４】
図１１は、第２操作部の一例である空調リモコン（主操作部）６の操作面の構成例を示す正面図である。空調リモコン６は、表示部６ｂ及び、浴室空調装置３及びミスト発生装置２を操作するための各種操作ボタン等を備える。空調リモコン６は操作ボタンとして、例えば、乾燥運転モードを実行する乾燥モードボタン６ｃ、涼風運転モードを実行する涼風モードボタン６ｄ、暖房運転モードを実行する暖房モードボタン６ｅ、換気運転モードを実行する換気モードボタン６ｆを備える。また、空調リモコン６は、操作ボタンとしてタイマの時間設定等を行うための変更ボタン６ｇ、及び停止ボタン６ｈ、ルーバ４４の角度を変更するルーバーボタン６ｏを備える。
【００８５】
更に空調リモコン６は、浴室空調装置３等の状態を表示するＬＥＤとして、例えば、乾燥モードＬＥＤ６ｉ、涼風モードＬＥＤ６ｊ、ミストＬＥＤ６ｋ、暖房モードＬＥＤ６ｌ、及び換気モードＬＥＤ６ｍを備える。ミスト運転実行時の各操作ボタン及びＬＥＤの詳細については後述する。
【００８６】
＜浴室空調装置及びミスト発生装置の制御系＞
図１２は、浴室空調装置３及びミスト発生装置２の制御系の構成例を示すブロック図である。
【００８７】
図１２に示す浴室空調装置３は、図１に示したミスト発生装置２によって水又は温水Ｉが噴出される浴室１０１内の温度を調整する。浴室空調装置３は、浴室１０１内の温度を検出して得られる温度検出情報に基づいて当該浴室１０１内の温度を制御するためのＣＰＵ(Central Processing Unit)を有する主制御部５Ａを備えている。主制御部５Ａは送風制御手段の一例である。上述した空調リモコン６は、通信ケーブル６ａを介して、この浴室空調装置３の主制御部５Ａに接続されている。この例で、空調リモコン６から主制御部５Ａには、通信ケーブル６ａを介して、操作信号Ｓ６が出力される。
【００８８】
主制御部５Ａには温度検出センサ６９が接続される。温度検出センサ６９は、図６（Ａ）又は図７に示した吸込口３８に取り付けられ、浴室１０１内の温度を検出して得た温度検出信号Ｓ６９を主制御部５Ａへ出力される。主制御部５Ａは、温度検知センサ６９から温度検出信号Ｓ６９を入力し、当該温度検出信号Ｓ６９をデジタル処理した温度検出情報と温度設定情報とを比較した結果に基づいて温度制御を実行する。
【００８９】
例えば、主制御部５Ａは、浴室１０１内の上限温度と下限温度とが設定されると、ヒータ３３に駆動電圧Ｖ３３を出力して浴室１０１内の空気を加熱すると共に当該浴室１０１内の温度を温度検出センサ６９を通じて検出する。主制御部５Ａは、浴室１０１内の温度が上限温度に到達すると加熱処理を停止し、その後、浴室１０１内の温度を検出すると共に当該浴室１０１内の温度が下限温度に到達すると加熱処理を開始する。
【００９０】
更に、この主制御部５Ａには、浴室照明スイッチ６９Ｂから、このスイッチがオンされたか否かを示す信号Ｓ６９ｂが供給される。この主制御部５Ａから、ファンモータ３６、ダンパモータ４０ｃ、ヒータ部３３を動作させるための駆動電圧Ｖ３６、Ｖ４０ｃ、Ｖ３３、及び、ルーバ４４の動作を制御するための制御信号Ｓ４４が各々供給される。
【００９１】
図１２に示すミスト噴出制御手段の一例である電源部ユニット２Ｂは、電源部２Ｂａと、電磁弁駆動部２Ｂｂと、ＣＰＵを有するミスト制御部２Ｂｃとを備えている。電源部２Ｂａは、家庭用交流電源、例えばＡＣ１００Ｖから、電磁弁を駆動するために使用する２４Ｖの直流電圧、ノズルユニット２のモータ７３や８４等を駆動するための直流電圧等を生成する。
【００９２】
電源部２Ｂａには電磁弁駆動部２Ｂｂ及びミスト制御部２Ｂｃが接続され、ミスト制御部２Ｂｃによる制御の下、電源部２Ｂａで生成される２４Ｖの直流電圧を用いて、電磁弁ユニット２Ａを構成する電磁弁２ｄ，２ｅ，２ｆを駆動する。この場合、電磁弁２ｄ，２ｅ，２ｆは、それぞれ、ＤＣ２４［Ｖ］の駆動電圧Ｖ２ｄ，Ｖ２ｅ，Ｖ２ｆが印加されることでバルブが開状態となされる。駆動電圧Ｖ２ｄ＝０［Ｖ］で電磁弁２ｄのバルブが閉状態となされ、駆動電圧Ｖ２ｅ＝０［Ｖ］で電磁弁２ｅのバルブが閉状態となされ、駆動電圧Ｖ２ｆ＝０［Ｖ］で電磁弁２ｆの各々のバルブが閉状態となされる。
【００９３】
ミスト制御部２Ｂｃには、上述したように、電磁弁ユニット２Ａに取り付けられた温度検出センサ２ｈが接続される。この例で、温度検出センサ２ｈからミスト制御部２Ｂｃには温度検出信号Ｓ２ｈが出力される。上述したミストリモコン７は、通信ケーブル７ａを介して、この電源部ユニット２Ｂのミスト制御部２Ｂｃに接続されている。ミストリモコン７からミスト制御部２Ｂｃには通信ケーブル７ａを介して操作信号Ｓ７ａが出力される。このミスト制御部２Ｂｃは、電磁弁駆動部２Ｂｂの動作を制御し、また電源部２Ｂａで生成される直流電圧を用いて、ノズルユニット２のノズル２ｍ１，２ｍ２，２ｍ３の方向を制御する。
【００９４】
また、浴室空調装置３の主制御部５Ａと電源部ユニット２Ｂのミスト制御部２Ｂｃとは互いに接続され、浴室空調装置３とミスト発生装置２との連係動作が可能となっている。例えば、主制御部５Ａからミスト制御部２Ｂｃへ通信制御信号Ｓ５ａを出力して、空調リモコン６で指定された内容に基づいてミスト運転を実行する。反対に、ミスト制御部２Ｂｃから主制御部５Ａへ通信制御信号Ｓ５ａを出力して、ミストリモコン７で指定された内容に基づいて空調運転を実行するようにしてもよい。
【００９５】
＜浴室空調システム１の動作例＞
次に、浴室空調システム１のミスト運転の動作例について説明する。ここでミスト運転はミストモードの一例である。浴室空調システム１がミスト運転を実行することにより、浴室空調装置３の吹出口４１より浴室１０１内へ温風が送風され、ミスト発生装置２のミスト発生装置２のノズルユニット２Ｃより浴室１０１内に温水によるミストが噴出される。これにより、浴室１０１内にミストサウナ環境がつくられる。
【００９６】
まずミスト運転の開始について説明する。図１３から図１５は、ミスト運転開始時の動作例を示すフローチャートである。図１６は、ミスト発生装置２及び浴室空調装置３の停止時のルーバ４４の位置を示す説明図である。図１７は、ミスト運転開始時のルーバ４４の位置を示す説明図である。図１８は、ミスト運転時のルーバ４４の位置を示す説明図である。
【００９７】
浴室空調システム１においては、以下のようなフローでミスト運転が開始される。ミスト発生装置２及び浴室空調装置３が停止している状態においては、浴室空調装置３のルーバ４４は、例えば図１６の矢印に示すように、浴槽側の壁方向を向いた位置となっている。
【００９８】
ミスト発生装置２及び浴室空調装置３が停止している状態において、使用者は、まずミストリモコン７のミストボタン７ｂ又は空調リモコン６の暖房モードボタン６ｅを押下する（図１３のステップＳＴ２１）。これにより、空調リモコン６のミストＬＥＤ６ｋ及びミストリモコン７のミストＬＥＤ７ｆが点滅する（ステップＳＴ２２）。
【００９９】
これにより、ミストリモコン７より、ミスト発生装置２のミスト制御部２Ｂｃを介して浴室空調装置３の主制御部５Ａへ、「ルーバ位置変更コマンド」が送信される（ステップ２３）。これにより、例えば図１７に示すように、送風方向が浴槽１０１ｂ方向となるように、主制御部５Ａによりルーバ４４のルーバモータ４４ａ・４４ｂが制御される。この結果、洗い場１０１ｅにいる使用者に対して送風されず、且つ浴室１０１内の暖房をすることが可能となる。
【０１００】
その後、空調リモコン６の暖房モードＬＥＤ６ｌの「強」及びミストリモコン７の暖房モードＬＥＤ７ｇの「強」が点灯する（ステップＳＴ２４）。その後、浴室空調装置３がヒータ部３３の出力を「強」にした状態で暖房運転を開始する（ステップＳＴ２５）。
【０１０１】
その後、ミストリモコン７より、ミスト発生装置２のミスト制御部２Ｂｃを介して浴室空調装置３の主制御部５Ａへ、「ミスト運転開始コマンド」を送信する（ステップ２６）。この「ミスト運転開始コマンド」を受け、浴室空調装置３の主制御部５Ａは、温度検出センサ６９により浴室内の温度を検出し、浴室内の温度が所定の温度（例えば３０℃）以上であるか否かを判別する（ステップＳＴ２７）。ここで浴室内の温度が所定の温度未満である場合、浴室空調装置３の主制御部５Ａより、ミストリモコン７に対して「ミスト運転不可コマンド」を送信する（ステップＳＴ２８）。その後所定時間（例えば５秒間）待機し（ステップＳＴ２９）、再度、ミストリモコン７より、ミスト発生装置２のミスト制御部２Ｂｃを介して浴室空調装置３の主制御部５Ａへ、「ミスト運転開始コマンド」を送信する（ステップ２６）。
【０１０２】
ステップＳＴ２７で浴室内の温度が所定の温度以上であると判別された場合、浴室空調装置３の主制御部５Ａより、ミストリモコン７に対して「ミスト運転許可コマンド」を送信する（ステップＳＴ３０）。その後所定時間（例えば４秒間）待機し（ステップＳＴ３１）、空調リモコン６のミストＬＥＤ６ｋを点滅させると共に、ミストリモコン７のミストＬＥＤ７ｆを点灯させる（図１４のステップＳＴ３２）。
【０１０３】
その後、ミスト制御部２Ｂｃは電磁弁駆動部２Ｂｂにより、給湯用電磁弁２ｄを開状態にし（ステップＳＴ３３）、排水用電磁弁２ｆを開状態にする（ステップＳＴ３４）。これにより、給水配管２ａから配管２ｋを介してドレン配管２ｃより、温水Ｉが排水された状態となる。
【０１０４】
その後、ミスト発生装置２のミスト制御部２Ｂｃにより、タイマｔ３がリセットされ（ステップＳＴ３５）、温度検出センサ２ｈにより温水Ｉが所定の温度（例えば３０℃）以上であるか否かを判別する（ステップＳＴ３６）。温水Ｉの温度が所定の温度未満である場合、タイマｔ３のリセットから所定時間（例えば５分）以上経過しているか否かが判別される（ステップＳＴ３７）。
【０１０５】
ここでタイマｔ３のリセットから５分以上経過している場合、給湯装置４等に障害が発生していると判断し、図１５に示すフローが実行される。まずミストリモコン７のエラーＬＥＤ７ｈが点灯する（図１５のステップＳＴ４４）。その後ミストリモコン７のブザーを３秒間鳴らした後（ステップＳＴ４５）、ミスト制御部２Ｂｃは、電磁弁駆動部２Ｂｂにより給湯用電磁弁２ｄを閉状態にし（ステップＳＴ４６）、ミスト用電磁弁２ｅを開状態にする（ステップＳＴ４７）。これにより、接続管２ｂ′からの残水が、配管２ｊ及び２ｋを通じて電磁弁２ｆに至りドレン配管２ｃに排水される。これにより、接続管２ｂ′、電磁弁２ｅ、配管２ｊ及び２ｋ内の残水を電磁弁２ｆを通じて浴室外部へ排出することができる。
【０１０６】
その後所定時間（例えば３秒間）待機し（ステップＳＴ４８）、ミスト制御部２Ｂｃは、電磁弁駆動部２Ｂｂによりミスト用電磁弁２ｅを閉状態にし（ステップＳＴ４９）、排水用電磁弁２ｆを閉状態にする（ステップＳＴ５０）。その後、浴室空調装置３の暖房運転及びルーバ４４を停止させる（ステップＳＴ５１）。この時、ルーバ４４は、例えば図１６の矢印に示すように、浴槽側の壁方向を向いた位置となる。
【０１０７】
ここで、使用者が、ミストリモコン７の停止ボタン７ｅ又は空調リモコン６の停止ボタン６ｈを押下することによりエラー状態が解除され（ステップＳＴ５３）、ミストリモコン７のエラーＬＥＤ７ｈが消灯する（ステップＳＴ５３）。
【０１０８】
図１４に戻り、ステップＳＴ３７において、タイマｔ３のリセットより所定時間以上経過しておらず、ステップＳＴ３６において温水Ｉが所定の温度以上であると判別された場合は、以下のようなフローが実行される。タイマｔ３のリセットから所定時間（例えば５秒）以上経過しているか否かが判別される（ステップＳＴ３８）。タイマｔ３のリセットから５秒以上経過していない場合、再びタイマｔ３がリセットされ（ステップＳＴ３９）、所定時間（例えば５秒間）待機する（ステップＳＴ４０）。
【０１０９】
ステップＳＴ３８において、タイマｔ３のリセットから５秒以上経過していると判別された場合、あるいはステップＳＴ４０において５秒間待機した後、ミストＬＥＤ６ｋとミストＬＥＤ７ｆを点灯させる（ステップＳＴ４１）。その後、ミストリモコン７のブザーを１秒間鳴らす（ステップＳＴ４２）。
【０１１０】
その後、ミスト制御部２Ｂｃは、電磁弁駆動部２Ｂｂによりミスト用電磁弁２ｅを開状態にし（ステップＳＴ４３）、その後、排水用電磁弁２ｆを閉状態にする（ステップＳＴ４４）。これにより、ミスト発生装置２のノズルユニット２Ｃより、浴室１０１内にミストが噴出され、浴室空調装置３の吹出口４１より浴室１０１内に温風が送風されるミスト運転状態となる。
【０１１１】
また、本実施の形態の浴室空調システム１においては、ミスト運転時において、ミストリモコン７のルーバーボタン７ｃにより浴室空調装置３のルーバ４４の角度を変更することが可能である。ルーバーボタン７ｃにより、ルーバ４４の角度は、例えば次のように変更される。
【０１１２】
まず、ルーバ４４の角度を所定の一方向へ変更する方法について説明する。図１８において、一点鎖線Ｌで示す方向へ吹出口４１より送風されるルーバ４４の角度を−１０°、一点鎖線Ｍで示す方向へ吹出口４１より送風されるルーバ４４の角度を４０°とする。またここで、図１７の矢印で示す方向へ吹出口４１より送風されるルーバ４４の角度は０°である。
【０１１３】
ルーバ４４の角度を所定の一方向へ変更する方法においては、例えば、ミストリモコン７のルーバーボタン７ｃ、又は空調リモコン６のルーバーボタン６ｏを押下するごとに、０°、−１０°、０°、１０°・・・４０°、３０°・・・１０°、０°の様に、ルーバ４４の角度が変更される。これにより、使用者の好みに応じた方向へ温風の送風方向を変更することが可能となる。
【０１１４】
次に、ルーバ４４を所定の範囲で連続的又は段階的に変更させて動作させる際の変更方法について説明する。この場合、ルーバーボタン７ｃ又はルーバーボタン６ｏを、例えば２秒以上長押しすることにより変更する。これにより、例えば図１８の一点鎖線Ｌで示す方向（ルーバ４４角度：−１０°）から、一点鎖線Ｍで示す方向（ルーバ４４角度：４０°）の範囲で送風方向が変化するように、ルーバ４４の角度が連続的又は段階的に変更される。これにより、浴室１０１内の広い範囲に温風を送風し、浴室１０１内を満遍なく暖房することが可能となる。
【０１１５】
次に、ミストサウナ運転停止時の動作例について説明する。図１９はミストサウナ運転停止時の動作例を示すフローチャートである。図１３から１７で示す方法によりミストサウナ運転中の浴室空調システム１において、ユーザがミストリモコン７のミストボタン７ｂ又は空調リモコン６の暖房モードボタン６ｅを押下する（図１９のステップＳＴ６０）ことにより、ミストサウナ運転の停止フローが開始する。
【０１１６】
ステップ６０の後、ミストリモコン７のミストＬＥＤ７ｆと空調リモコン６のミストＬＥＤ６ｋを消灯させる（ステップＳＴ６１）。その後、ミスト制御部２Ｂｃは電磁弁駆動部２Ｂｂにより排水用電磁弁２ｆを開状態にし（ステップＳＴ６２）、ミスト用電磁弁２ｅ閉状態として（ステップＳＴ６３）、所定時間（例えば２秒間）待機する（ステップＳＴ６４）。この間、給水配管２ａから配管２ｋを介してドレン配管２ｃより、温水Ｉが排水された状態となる。
【０１１７】
その後、ミスト制御部２Ｂｃは電磁弁駆動部２Ｂｂにより給湯用電磁弁２ｄを閉状態とし（ステップＳＴ６５）、ミスト用電磁弁２ｅを開状態とし（ステップＳＴ６６）、所定時間（例えば３秒間）待機する（ステップＳＴ６７）。この間、接続管２ｂ′からの残水が、配管２ｊ及び２ｋを通じて電磁弁２ｆに至りドレン配管２ｃに排水される。これにより、接続管２ｂ′、電磁弁２ｅ、配管２ｊ及び２ｋ内の残水を電磁弁２ｆを通じて浴室外部へ排出することができる。
【０１１８】
その後、ミスト制御部２Ｂｃは電磁弁駆動部２Ｂｂにより、ミスト用電磁弁２ｅを閉状態にし（ステップＳＴ６８）、所定時間（例えば１秒間）待機した後（ステップＳＴ６９）、排水用電磁弁２ｆを閉状態とする（ステップＳＴ７０）。このようなフローにより、ミスト運転が停止される。
【０１１９】
次に、ミストサウナ運転時の全停止時の動作例について説明する。図２０はミストサウナ運転時の全停止時の動作例を示すフローチャートである。図１３、１７で示す方法によりミストサウナ運転中の浴室空調システム１において、ユーザがミストリモコン７の停止ボタン７ｅ又は空調リモコン６の停止ボタン６ｈを押下する（図２０のステップＳＴ８０）ことにより、ミストサウナ運転時の全停止フローが開始する。
【０１２０】
まず、ミストリモコン７のミストＬＥＤ７ｆ、暖房ＬＥＤ７ｇ、空調リモコン６のミストＬＥＤ６ｋ、暖房モードＬＥＤ６ｌを消灯させる（ステップ８１）。  図２０のステップＳＴ８２からステップＳＴ９０は、図１９のステップＳＴ６２からステップＳＴ７０と同様である。ステップＳＴ９０の終了後、浴室空調装置３の暖房運転が停止し、ルーバ４４が停止する（ステップＳＴ９１）。このようなフローにより、ミスト運転時の全停止が行われる。
【０１２１】
次に、浴室空調システム１における、ミストモード以外の他の空調モードの動作例について説明する。以下に説明する、ミストモード以外の他の空調モードにおいては、ミスト発生装置２は停止した状態となる。
【０１２２】
空調リモコン６の乾燥モードボタン６ｃを操作することにより乾燥運転モードが実行される。乾燥運転モードにおいては浴室空調装置３のダンパ４０は図８（Ｃ）に示す循環換気位置に位置する。この状態でファンモータ３６及びヒータ部３３を動作させることにより、浴室１０１内の空気を吸込口３８より吸い込み、一部を排気口４２より浴室１０１の外へ排気し、一部をヒータ部３３で加熱して吹出口４１より浴室１０１内に送風する。これにより、浴室１０１内の湿気が外部に排出され浴室１０１内の乾燥が行われる。
【０１２３】
空調リモコン６の涼風モードボタン６ｄを操作することにより、涼風運転モードが実行される。乾燥運転モードにおいては浴室空調装置３のダンパ４０は図８（Ａ）に示す循環位置に位置する。この状態でファンモータ３６を動作させることにより、浴室１０１内の空気を吸込口３８より吸い込み、吸い込んだ空気を吹出口４１より浴室１０１内へ送風する。これにより、浴室１０１内へ涼しい風が送風される。
【０１２４】
空調リモコン６の暖房モードボタン６ｅ又は、ミストリモコン７の暖房ボタン７ｄを操作することにより、暖房運転モードが実行される。暖房運転モードにおいては浴室空調装置３のダンパ４０は図８（Ａ）に示す循環位置に位置する。この状態でファンモータ３６及びヒータ部３３を動作させることにより、浴室１０１内の空気を吸込口３８より吸い込み、吸い込んだ空気をヒータ部３３で加熱して吐出口４１より浴室１０１内に送風する。これにより、浴室１０１内の暖房が行われる。
【０１２５】
空調リモコン６の換気モードボタン６ｆを操作することにより、換気運転モードが実行される。換気運転モードにおいては浴室空調装置３のダンパ４０は図８（Ｂ）に示す換気位置に位置する。この状態でファンモータ３６を動作させることにより、浴室１０１内の空気を吸込口３８より吸い込み、吸い込んだ空気を排気口４２より浴室１０１の外へ排気する。これにより、浴室１０１内の換気が行われる。
【０１２６】
上述した乾燥運転モード、涼風運転モード及び暖房運転モードを実行する際には、浴室空調装置３による送風方向は、所定の一方向に固定、若しくは所定の範囲でのスウィング（連続的又は段階的な変化）した状態となる。これらの送風方向は、記憶された設定情報に基づいて適用される。
【０１２７】
送風方向（ルーバ４４の角度）の変更と記憶は、空調モードである乾燥運転モード、涼風運転モード及び暖房運転モードのそれぞれの運転モード毎に行えるようにしてもよく、また、これらの空調モードの実行時に、図１７及び図１８に示すようにミストモード時と同様の送風方向となるようにしてもよい。
【０１２８】
また、送風方向は、変更ボタン６ｇ等の特定のボタンを所定時間長押しすることにより設定変更が可能となり、変更ボタン６ｇを押してルーバ４４の角度を選択し、その後、ルーバーボタン６ｏを押すことにより決定される。
【０１２９】
また、これらの送風方向は、使用者がミストリモコン７のルーバーボタン７ｃ又は空調リモコン６のルーバーボタン６ｏを操作することにより変更可能となるとしてもよい。これにより、ミストリモコン７又は空調リモコン６の少なくとも一方を操作することにより、使用者は送風方向の変更が可能となる。
【０１３０】
変更された送風方向は、変更時のみ適用される一時的なもの、又は次回の動作時も適用されるものとなる。更にミストモードにおいても、主操作部である空調リモコン６で、他の空調モードと同様に送風方向の変更を記憶できるようにしてもよい。
【０１３１】
本発明の浴室空調システム１によれば、使用者が浴室１０１内に設置されたミストリモコン（ミスト操作部）７を操作することにより、ミスト発生装置２によるミストの噴出と、浴室空調装置３による温風の送風が連動して行われるミスト運転（ミストモード）が実行される。またこの時、浴室空調装置３による温風の送風方向は、ルーバ４４により所定の方向へ切り換えられる。
【０１３２】
これにより、ミストモードを実行してミストサウナを使用する際に、浴室空調装置３による温風の送風方向を、浴室１０１内にいる使用者の操作により、使用者にとって好ましい方向へ切り換えることが可能になる。
【０１３３】
また、本発明の浴室空調装置１によれば、ミスト運転の実行中に、ミストリモコン７のルーバーボタン７ｃを操作することにより、ルーバ４４の角度を変更し、浴室空調装置３による温風の送風方向を変更することが可能になる。これにより、ミストサウナの使用者の好みに応じて、浴室１０１内から、浴室空調装置３による温風の送風方向を変更することが可能になる。
【産業上の利用可能性】
【０１３４】
本発明は、ミストの噴出し及び空気の送風を行うことにより、浴室内にミストサウナ環境をつくる浴室空調システムに適用される。
【符号の説明】
【０１３５】
１・・・浴室空調システム、２・・・ミスト発生装置、２Ａ・・・電磁弁ユニット、２Ｂ・・・電源部ユニット、２Ｂｃ・・・ミスト制御部、２Ｃ・・・電磁弁ユニット、２Ａ・・・給水配管、２ｂ・・・ノズル配管、２ｃ・・・ドレン配管、２ａ′〜２ｃ′・・・接続部、２ｄ，２ｅ，２ｆ・・・電磁弁、２ｈ・・・温度検出センサ、２ｊ〜２ｋ・・・配管、３・・・浴室空調装置、４・・・給湯装置、５Ａ・・・主制御部、６・・・空調リモコン、６ａ，７ａ，８０ａ・・・通信ケーブル、７・・・ミストリモコン、７ａ・・・通信ケーブル、８・・・排気ダクト、２６，２６′・・・フロントパネル、３６，７３，８４・・・モ−タ、４４・・・ルーバ、６９・・・温度検出センサ、６９Ａ・・・人体検出センサ、６９Ｂ・・・浴室照明スイッチ、７１，８１・・・駆動機構、７２・・・歯車ユニット、８２・・・ラックレール、８３・・・歯車、１０１・・・浴室、１０１ｂ・・・浴槽
【図１】
2011087944.tif 000003
【図２】
2011087944.tif 000004
【図３】
2011087944.tif 000005
【図４】
2011087944.tif 000006
【図５】
2011087944.tif 000007
【図６】
2011087944.tif 000008
【図７】
2011087944.tif 000009
【図８】
2011087944.tif 000010
【図９】
2011087944.tif 000011
【図１０】
2011087944.tif 000012
【図１１】
2011087944.tif 000013
【図１２】
2011087944.tif 000014
【図１３】
2011087944.tif 000015
【図１４】
2011087944.tif 000016
【図１５】
2011087944.tif 000017
【図１６】
2011087944.tif 000018
【図１７】
2011087944.tif 000019
【図１８】
2011087944.tif 000020
【図１９】
2011087944.tif 000021
【図２０】
2011087944.tif 000022